(57)【要約】【課題】  組立て（施工）を容易に行うことができ、階段を支持する支持壁や支柱を用いなくてもよい、自立構造を有する室内用階段を提供する。【解決手段】  この室内用階段１は、所要の間隔をもって平行に配置された一対のささら桁２，２と、前記一対のささら桁２，２間に階段状に架設される複数の踏み板３で構成され、前記ささら桁２，２のうち、少なくとも一方を、高さの異なる複数の枠部材２ａ，２ｂ，２ｃ，・・・を、幅方向に連結して階段状に形成したもので構成している。  したがって、この室内用階段１は、前記一対のささら桁２，２を、その少なくとも一方については、前記高さの異なる複数の枠部材２ａ，２ｂ，２ｃ，・・・で構成し、前記一対のささら桁２，２を介して床面で支持されているので、強度において優れ、自立構造を有するものである。【選択図】      図１
2017125306.tif 000002
【特許請求の範囲】
【請求項１】
所要の間隔をもって平行に配置される一対のささら桁と、前記一対のささら桁間に階段状に架設される複数の踏み板で構成される階段であって、
前記ささら桁のうち、少なくとも一方を、複数の枠部材を幅方向に階段状に連結して形成したもので構成したこと
を特徴とする室内用階段。
【請求項２】
前記上下の踏み板間の前面には、蹴込み板が設けられていること
を特徴とする請求項１に記載の室内用階段。
【請求項３】
複数の階段ユニットと踊り場ユニットが交互に配置されてなる階段であって、
前記階段ユニットは、
請求項１又は２に記載された室内用階段であって、
前記踊り場ユニットは、
所要の間隔をもって平行に配置された一対の側桁と、前記側桁の上面に架設される踊り場踏み板で構成され、
前記一対の側桁のうち、少なくとも一方は、一又は複数の枠部材を幅方向に連結して形成したもので構成したこと
を特徴とする室内用階段。
【請求項４】
前記階段ユニットは、
一の階段ユニットを、これと踊り場ユニットを介して隣接する他の階段ユニットに対して、角度を変えて配置するよう構成されたこと
を特徴とする請求項３に記載の室内用階段。
【発明の詳細な説明】
【技術分野】
【０００１】
この発明は、構築物の室内に設置される階段に関するものである。
より詳しくは、組立て（施工）を容易に行うことができ、階段を支持する支持壁や支柱を用いなくてもよい自立構造を有する室内用階段に関するものである。
【背景技術】
【０００２】
従来、建物内に構築される室内用の階段として、折曲り階段、折返し階段、廻り階段などの階段が知られている。
このような階段は、一般的に、いずれか一方の側面が側壁面に支持される構造となっている。
【０００３】
例えば、特開平０６−２９４１９１号公報（特許文献１）においては、上層階の対向する一対の梁にそれぞれ固定されて、階段の両側に下層階の壁面を構築する側壁板と、この対向的な側壁板に固定され、前記側壁板間に介在されて階段を構築する踏み板および蹴込み板とを少なくとも備え、この対向的な側壁板に各踏み板を受材に受けさせ該受材側から釘打ちなどによって固定させる階段用セットが提案されている。
【０００４】
かかる階段セットによれば、対向的な側壁板間に踏み板および蹴込み板を介在させて固定させることによって、階段の両側に下層階の壁面が側壁板によって構築され、またその壁面が階段の構築と同時的に構築されるので、側桁を要することなく階段を構築することができる。
また、階段両側における下層階の壁面の施工の容易化，施工期間の短縮化、低コスト化の向上を図ることができる。
さらに、この種の階段と壁面の構築に要する部品点数の減少を図ることができる、とされている。
【先行技術文献】
【特許文献】
【０００５】
【特許文献１】特開平０６−２９４１９１号公報（特許請求の範囲，図１）
【発明の開示】
【発明が解決しようとする課題】
【０００６】
室内用階段の設置に際し、支持壁の壁面で階段を支持する場合、間取りの自由度が制限され、コストがかかるという問題があった。
【０００７】
さらに、支持壁の壁面で踏み板を支持する場合には、その位置決めが非常に難しく、これらを正確に取り付けるには、手間と時間とを要する。
【０００８】
さらにまた、工場で生産された階段を施工現場に取り付ける場合もあるが、建物ごとに階段の設置条件（段数や蹴上げ高さなど）が異なるので、大量生産には不向きである。
【０００９】
前記特許文献１に開示されている階段セットは、対向的な側壁板に各踏み板を受材に受けさせ、この受材側から釘打ちなどによって固定させるものである。
そのため、前記側壁自体が十分な強度を有する必要があることに加え、前記受材に荷重がかかるため、強度において不十分であることから、さらなる改善が求められる。
【００１０】
この発明はかかる現状に鑑み、組立て（施工）を容易に行うことができ、階段を支持する支持壁や支柱を用いなくてもよい、自立構造を有する室内用階段を提供せんとするものである。
【課題を解決するための手段】
【００１１】
すなわち、この発明にかかる請求項１に記載の発明は、
所要の間隔をもって平行に配置される一対のささら桁と、前記一対のささら桁間に階段状に架設される複数の踏み板で構成される階段であって、
前記ささら桁のうち、少なくとも一方を、複数の枠部材を幅方向に階段状に連結して形成したもので構成したこと
を特徴とする室内用階段である。
【００１２】
この発明の請求項２に記載の発明は、
請求項１に記載の室内用階段において、
前記上下の踏み板間の前面には、蹴込み板が設けられていること
を特徴とするものである。
【００１３】
この発明の請求項３に記載の発明は、
複数の階段ユニットと踊り場ユニットが交互に配置されてなる階段であって、
前記階段ユニットは、
請求項１又は２に記載された室内用階段であって、
前記踊り場ユニットは、
所要の間隔をもって平行に配置された一対の側桁と、前記側桁の上面に架設される踊り場踏み板で構成され、
前記一対の側桁のうち、少なくとも一方は、一又は複数の枠部材を幅方向に連結して形成したもので構成したこと
を特徴とする室内用階段である。
【００１４】
この発明の請求項４に記載の発明は、
請求項３に記載の室内用階段において、
前記階段ユニットは、
一の階段ユニットを、これと踊り場ユニットを介して隣接する他の階段ユニットに対して、角度を変えて配置するよう構成されたこと
を特徴とするものである。
【発明の効果】
【００１５】
この発明の室内用階段は、所要の間隔をもって平行に配置された一対のささら桁と、前記一対のささら桁間に階段状に架設される複数の踏み板で構成され、前記ささら桁のうち、少なくとも一方を、高さの異なる複数の枠部材を、幅方向に連結して階段状に形成したもので構成している。
したがって、この室内用階段は、前記一対のささら桁を、その少なくとも一方については、前記高さの異なる複数の枠部材で構成し、前記一対のささら桁を介して床面で支持されているので、強度において優れ、自立構造を有するものである。
さらに、この自立構造を有する室内用階段は、従来のように壁面や柱で支持する必要がないので、コストを削減することができ、空間を広く利用することができ、あるいは階段幅を広げることができるものである。
【００１６】
さらに、前記室内用階段においては、前記一対のささら桁は、所要の間隔をもって平行に配置され、前記一対のささら桁のうち、少なくとも一方は、複数の枠部材を幅方向に連結して階段状に形成したもので構成されている。
したがって、階段下に所要の空間が形成されるので、この空間を収納スペースなどとして利用することができる。
【００１７】
さらにまた、前記室内用階段を１ユニットとして、このユニット（階段ユニット）と踊り場ユニットとを、交互に複数配置することによって室内用階段を構成することができる。
前記踊り場ユニットは、所要の間隔をもって平行に配置された一対の側桁と、前記側桁の上面間に架設される踊り場踏み板で構成され、前記側桁のうち少なくとも一方は、一又は、高さの異なる複数の枠部材を幅方向に連結して形成したもので構成されている。
したがって、この室内用階段も、前記同様、強度において優れ、自立構造を有するので、壁などの仕切りをなくすか、または薄くすることができ、有効幅を増やすと同時に、コストを削減することができる。
【００１８】
さらに、前記室内用階段を構成する複数の階段ユニットのうち、一の階段ユニットを、これと前記踊り場ユニットを介して隣接する他の階段ユニットに対して角度を変えて配置することができる。
このような構成の室内用階段においても、仕切りをなくすか、または薄くすることができ、有効幅を増やすと同時に、コストを削減することができる。
【００１９】
さらにまた、この発明の室内用階段は、その構成がきわめて単純化され、ボルトやビスなどの着脱可能な緊締具を用いて組み立てることができるので、その組み立ては容易で、施工性において優れたものである。
したがって、工場においてあらかじめ製作することができ、あるいは設置現場において、その組み立て（施工）を容易に行うことができる。
【図面の簡単な説明】
【００２０】
【図１】この発明にかかる室内用階段の一例を示す正面斜視図である。
【図２】この発明にかかる室内用階段を構成するささら桁の一例を示す斜視図である。
【図３】図１に示す室内用階段の背面斜視図である。
【図４】この発明にかかる室内用階段であって、階段ユニットと踊り場ユニットで構成される室内用階段の一例を示す斜視図である。
【図５】この発明にかかる室内用階段を構成する踊り場ユニットの実施の一例を示す正面斜視図である。
【図６】この発明にかかる室内用階段であって、階段ユニットと踊り場ユニットで構成される階段の他の例を示す斜視図である。
【発明を実施するための形態】
【００２１】
以下、この発明の室内用階段の一実施の形態の構成を、図面を参照して説明する。
なお、この発明は、図面に示す形態にのみ限定されるものではなく、要旨を変更しない範囲内において種々改良を加えることができるものである。
【００２２】
図１に示すように、この発明にかかる室内用階段１は、所要の間隔をもって平行に配置される階段状に形成された一対のささら桁２，２と、前記一対のささら桁２，２間の相対する階段部に架設される複数の踏み板３，３，・・・で構成される。
なお、この実施例において、室内用階段は木製であるが、その材質については、特に制限はなく、木以外の金属（軽量鉄材や、アルミなど）や合成樹脂などを選択することができる。
【００２３】
この実施例においては、階段状に配置される踏み板間の前面には、それぞれ蹴込み板４，４，・・・が配設されているが、前記蹴込み板４，４，・・・は、必ずしも設けなくてもよいものである。
【００２４】
前記ささら桁２は、所要の幅（横方向）と厚さを有する高さの異なる複数の枠部材を、幅方向（横方向）に連結して階段状に形成したものである。
具体的には、前記ささら桁２は、図１及び２に示すように、前記高さの異なる枠部材２ａ，２ｂ，２ｃ，・・・を、高さが低いものから順に、幅方向に連結して階段状に形成される。
なお、前記一対のささら桁２，２については、その少なくとも一方を、前記複数の枠部材２ａ，２ｂ，２ｃ，・・・で構成してもよいし、その両方を前記複数の枠部材２ａ，２ｂ，２ｃ，・・・で構成してもよい。
【００２５】
前記ささら桁２を構成する枠部材２ａ，２ｂ，２ｃ，・・・は、上下のそれぞれに水平に配置される長尺の横枠と、左右のそれぞれに垂直に配置される長尺の縦枠を備え、これらが枠状に形成されている。
図２において、前記縦枠は、前記横枠の端部を渡して設けることによって、強度においてより優れたものとすることができる。
【００２６】
図２において、前記ささら桁２は、三つの枠部材２ａ，２ｂ，２ｃを１ユニットとして構成されている。
なお、１ユニット当たりの枠部材の数は、必要とされる階段の段数などに応じて適宜設定されるもので、特に制限はない。
【００２７】
また、図示しないが、この実施例においては、横揺れ防止の観点から、前記枠部材同士２ａ，２ｂ，２ｃ，・・・を、緊締具を用いて固定している。
その際、前記緊締具としては、ボルトやビスなどの着脱可能なものを用いることができる。
【００２８】
前記室内用階段１において、前記一対のささら桁２，２は、所要の間隔をもって平行に配置されている。
図１において、平行に配置される前記ささら桁２，２の間隔は、適用しようとする踏み板の長さに相当するものである。
このような構成によって、前記室内用階段１内部に、所要の大きさの空間Ｓを形成することができる。
したがって、図３に示すように、背面にドア５及び壁６などを設ける等して、前記形成された空間Ｓを収納スペース等として利用することができる。
さらに、図示しないが、室内側に位置する枠部材２ａ，２ｂ，２ｃ，・・・の前面にそれぞれドアを付設することによって、収納スペースを大幅に増やすことができる。
【００２９】
かかる構成の室内用階段１は、これを１ユニットとして、踊り場ユニットと交互に複数組み合わせて室内用階段ないし階段構造を構成する階段ユニットとしても利用することができる。
【００３０】
図４は、この発明にかかる室内用階段１１を示すもので、複数の階段ユニット１１ａ，１１ｂと踊り場ユニット７とを交互に組み合あわせて構成されている。
具体的には、前記室内用階段１１は、階段ユニット１１ａ，１１ｂの後端部同士を、図４に示すように、踊り場ユニット７を介して一体的に連結したものである。
【００３１】
前記踊り場ユニット７は、図５に示すように、所要の間隔をもって平行に配置された一対の側桁８，８と、前記一対の側桁８，８間に架け渡すように、それらの上面に載置される踊り場踏み板９で構成される。
したがって、前記踊り場ユニット７は、高い強度を有し、加えて前記階段ユニット１１ａ，１１ｂも高い強度を有するので、階段１１全体が高い強度を有するものとなる。
【００３２】
前記側桁８は、一の枠部材または高さが等しい複数の枠部材同士を幅方向（横方向）に互いに連結したもので構成される。
前記側桁８の少なくとも一方は、図５に示すように、所要の幅と厚さと高さを有する枠部材８ａ，８ｂ，８ｃ，・・・で構成され、各枠部材は、上下のそれぞれに水平に配置される長尺の横枠と、左右のそれぞれに垂直に配置され、かつ前記横枠の端部を渡して設けられる長尺の縦枠を備え、これらが枠状に形成されている。
【００３３】
なお、図４および６において、前記側桁８，８の前端及び／又は後端の上部には、これらの側桁８，８間に架け渡すように、蹴込み板１４を設けてもよい。
【００３４】
前記踊り場ユニット７は、ボルトやビスなどの着脱可能な緊締具を用いて組み立てることができるので、その組み立ては容易で、工場においてあらかじめ製作することができ、あるいは設置現場において組み立てることができる。
なお、この実施例において、踊り場ユニット７は木製であるが、その材質については、特に制限はなく、木以外の金属（軽量鉄材や、アルミなど）や合成樹脂などを選択することができる。
【００３５】
前記室内用階段１１については、図４に示すように、階段ユニット１１ａを、これと踊り場ユニット７を介して隣接する階段ユニット１１ｂに対して直線状に配置して、直階段として構成することが可能である。
【００３６】
一方、図６に示すように、前記室内用階段１１については、階段ユニット１１ａを、これと踊り場ユニット７を介して隣接する階段ユニット１１ｂに対して、角度を変えて配置して廻り階段として構成することも可能である。
かかる室内用階段１１は、これを構成する階段ユニット１１ａ，１１ｂならびに踊り場ユニット７が高い強度を有するので、仕切りをなくすか、または薄くすることができ、有効幅を増やすと同時に、コストを削減することができる。
【００３７】
なお、この発明によれば、前記形態に限らず、階段ユニットと踊り場ユニットとを適宜組み合わせることにより、様々なレイアウトの階段を施工することが可能である。
【００３８】
前記室内用階段１，１１を構成する各部材は、ボルトやビスなどの着脱可能な緊締具を用いて組み立てることができる。
さらに、前記室内用階段１，１１は、これを構成するささら桁や側桁の下端部において、躯体の床材Ｆに、例えば、クギなどの緊締具、好ましくはボルトやビスなどの着脱可能な緊締具を使用して固定される。
したがって、この階段については、その組立て及び解体を簡単に行うことができる。
なお、この実施例においては、室内用階段として説明したが、材質をステンレス鋼材などとすることによって、屋外用階段として利用することもできる。
【産業上の利用可能性】
【００３９】
この発明にかかる室内用階段は、強度において優れ、自立構造を有するもので、従来のように壁面や柱で支持する必要がなく、コストを削減することができ、空間を広く利用することができるので、建築業界において幅広く利用されるものである。
【符号の説明】
【００４０】
１，１１            階段
２                  ささら桁
２ａ，２ｂ，２ｃ    枠部材
３                  踏み板
４，１４            蹴込み板
５                  ドア
６                  壁
７                  踊り場ユニット
８                  側桁
８ａ，８ｂ，８ｃ    枠部材
９                  踊り場踏み板
１１ａ，１１ｂ        階段ユニット
Ｆ                  床材
Ｓ                  空間
【図１】
2017125306.tif 000003
【図２】
2017125306.tif 000004
【図３】
2017125306.tif 000005
【図４】
2017125306.tif 000006
【図５】
2017125306.tif 000007
【図６】
2017125306.tif 000008